(57)【要約】      （修正有）【課題】改良されたコンドーム用電動リングを提供する。【解決手段】該コンドーム用電動リングはリングと前記リングに連結された振動装置１６を備え、該振動装置は、ハウジング１８と、弾性体２０と、モータ２２と、偏心回転子２４と突状体２６を具える。前記弾性体は、前記ハウジング内壁に固定され、前記モータは該弾性体を介して前記ハウジングに連結され、前記偏心回転子は前記モータに連結され、前記突状体は前記ハウジングの穴２８にネック部を嵌合すると共にハウジング内後端３０ｂがモータに連結され、ハウジング外に前端が突出している。前記モータが前記偏心回転子を駆動して回転すると、前記モータは前記弾性体を介して前記ハウジングに対してシフトするため、前記突状体は前記穴縁に衝突して、不規則的な点衝撃が生じ、突状体前端が相手側に触れ、また、ハウジングにも不規則的な点衝撃を生じて刺激効果を発揮する。【選択図】図２
0003131059.tif 000002
【実用新案登録請求の範囲】
【請求項１】
コンドームに嵌合するリング及び、該リングに連結される振動装置からなるコンドーム用機能補助器具において、
該振動装置は、穴を有するハウジングと、前記ハウジング内に取付けられた弾性体を介して前記ハウジングに連結されたモータと、前記モータに連結された偏心回転子と、前記ハウジングの穴から一部突出すると共に前記モータに連結された突状体からなり、
前記モータが前記偏心回転子を駆動して回転するとき、その回転に伴なって該モータが前記弾性体を介して前記ハウジングに対してシフトすることにより、前記突状体が前記穴辺縁に設けた凸点を衝撃することにより不規則的な点衝撃を生じさせる、
ことを特徴とするコンドーム用機能補助器具。
【請求項２】
前記モータが前記偏心回転子を駆動して回転することにより、その回転に伴なって前記モータを前記弾性体を介して前記ハウジングに対するシフトを生じさせて前記穴内の前記突状体が不規則に前記穴の前記辺縁に衝突する作用により、前記ハウジングに不規則的な点衝撃を生じさせる、ことを特徴とする請求項１記載のコンドーム用機能補助器具。
【請求項３】
前記モータが前記偏心回転子を駆動して回転するとき、前記偏心回転子により生じた振動が前記モータ及び前記弾性体を介して前記ハウジングに伝達され、ハウジングに前記モータの回転に対応する規則的振動を生成させる、ことを特徴とする請求項１記載のコンドーム用機能補助器具。
【請求項４】
前記穴の辺縁には複数の凸点を設け、前記モータが前記偏心回転子を駆動して回転するとき、前記突状体は前記複数の凸点と衝突して、穴内で前記不規則的な点衝撃を生じさせる、ことを特徴とする請求項１記載のコンドーム用機能補助器具。
【請求項５】
前記突状体は、モータに嵌装される後端と相手側に接する前端を有する、ことを特徴とする請求項１記載のコンドーム用機能補助器具。
【請求項６】
前記弾性体はスプリングである、ことを特徴とする請求項１記載のコンドーム用機能補助器具。
【請求項７】
前記振動装置は、更に電池と、該電池に連結されるプッシュプル機構と、第１導電機構及び第２導電機構を具備し、
該第１導電機構と第２導電機構はそれぞれ前記モータの正負二極に接続され、プッシュプル機構が起動位置に押し付けられると、プッシュプル機構は前記電池を作動させ、前記電池の正負二極をそれぞれ前記２つの導電機構に接触させることにより、モータを起動させ、
プッシュプル機構が停止位置に引っ張られると、前記プッシュプル機構は前記電池を作動させて、前記電池の正負二極をそれぞれ前記２つの導電機構と分離させることにより、モータの回転を停止させるようにした、
ことを特徴とする請求項１記載のコンドーム用機能補助器具。
【請求項８】
前記第１導電機構は、第１金属バネ片と、該第１金属バネ片に接触する第１リード線を有すると共に、前記第２導電機構は第２金属バネ片と、該第２金属バネ片に接触する第２リード線を有し、
該第１と第２リード線は前記モータの正負二極に接続される一方、前記第１と第２金属バネ片はそれぞれ前記電池の正負二極に接触するようにした、
ことを特徴とする請求項７記載のコンドーム用機能補助器具。
【請求項９】
前記プッシュプル機構は、少なくとも１つの第１凸縁を有すると共に、ハウジングは第１凸縁に対応する第２凸縁を有することで、プッシュプル機構を前記起動位置と停止位置にセットさせることができるようにした、ことを特徴とする請求項７記載のコンドーム用機能補助器具。
【請求項１０】
前記リングに連結され、且つ前記振動装置を嵌装する筒状体を具備する、ことを特徴とする請求項７記載のコンドーム用機能補助器具。
【請求項１１】
コンドームに嵌合するリング及び、該リングに連結される振動装置からなるコンドーム用電動リングにおいて、
該振動装置は、穴を有するハウジングと、前記ハウジング内に取付けられた弾性体を介して前記ハウジングに連結されたモータと、前記モータに連結された偏心回転子と、前記ハウジングの穴から一部突出すると共に前記モータに連結された突状体からなり、
前記モータが前記偏心回転子を駆動して回転するとき、その回転に伴なって該モータが前記弾性体を介して前記ハウジングに対してシフトすることにより、前記突状体が前記穴辺縁に衝突することによりハウジングに不規則な点衝撃を生じさせる、
ことを特徴とするコンドーム用機能補助器具。
【請求項１２】
前記モータが前記偏心回転子を駆動して回転し、且つ前記弾性体を介して前記ハウジングに対するシフトを生じさせることにより、前記突状体は前記穴内で不規則的な点衝撃を行う、ことを特徴とする請求項１１記載のコンドーム用機能補助器具。
【請求項１３】
前記モータが前記偏心回転子を駆動して回転するとき、前記偏心回転子により生じされた振動は前記モータ及び前記弾性体を介して前記ハウジングに伝達され、ハウジングに前記モータの回転に対応する規則的振動を生じさせる、ことを特徴とする請求項１１記載のコンドーム用機能補助器具。
【考案の詳細な説明】
【技術分野】
【０００１】
本発明は、コンドーム上に装着する機能補助具に関し、特に着用者のみでなく相手方を含む双方において効果的な刺激が得られ、性的機能の衰えたものや機能障害のある場合にも性的機能を発揮することのできるコンドーム用電動リングに関する。
【背景技術】
【０００２】
近年に至り一部の国においては少子化など出生率の低下が問題となっているが、世界全体においては依然として人口増が国内の農業生産高や国内産業の発展以上となって、経済的に負担となるなどバースコントロールは大きな問題である。さらに、エイズなどの性的な関係を介して広がる感染症の拡大防止が大きな問題となっている。特に、エイズなどの感染症は、一部の政治的、社会的に混乱した状態にある国に限らず、近年至って先進諸国においても深刻な社会衛生上の問題となっている。
これらの対策として、倫理的な規制としての啓蒙活動も行なわれているが、必ずしも実効が挙げられておらず、実効性のある方法として今やコンドームの使用が広く進められている。
しかしながら、コンドームの使用は社会的慣習や宗教観念からなかなか普及を見ないばかりか、心理的な抵抗感と共に着用感も普及を図る上で重要な要素であり、品質も著しい向上をみているが、なお充分とはいえない。
また、性的機能の衰え始めた世代や機能に障害を有する場合など、これらの影響が一層大きい為、積極的に性的機能を補助することが望まれる。
【０００３】
本出願人は、このような立場から先に権利化された台湾実用新案Ｍ２５３３４１号を提案し、それにはコンドーム用電動リングが開示されている。
それに拠れば、その図1乃至２に示すように、コンドーム用電動リングはリングと振動機構を備え、該リングが局所を締め付けてその機能を強化・サポートすると共に持続せしめ、また該振動機構内にはモータが設置されて、前記モータが偏心回転子を駆動する時、該振動機構が振動して、局所に刺激を与えて持続性を強化するものであった。
【０００４】
しかしながら、上述した従来の技術には、依然として不具合がある。例えば、振動の形態が比較的単調でいわゆる機械的であるため、刺激に対する使用者の反応が時間と伴に次第に弱まることが１つ可能な問題点と考えられる。このため、如何に簡単な構造で、振動の形態を多様化することにより刺激持続させるかが、該技術分野での新たな課題となっている。
また、これらの行為自体が双方において成立するものであるから、これらの刺激、感覚もまた一方的なものであってはならないのであり、双方にとって相和して作用するものでなければならない。
【特許文献１】実願２００５−１９０８号
【考案の開示】
【考案が解決しようとする課題】
【０００５】
本考案の課題は、前記目的を達成するために、多種多様な振動、衝撃モードを備え、刺激を強めるコンドーム用電動リングを提供することにある。
より具体的には、多重振動モードを備えたコンドーム用電動リングであって、男性側のみでなく、相手側に対しても効果的な作用が及ぶことにより、双方にとってバランスある作用を発揮し、それによって行為を完遂できるようにすることにある。
【課題を解決するための手段】
【０００６】
本考案に係わる多重振動モードを備えたコンドーム用電動リングは、振動機構を具える。また、可動突状体を具えると共に、規則的振動と不規則的点衝撃との二種の振動、衝撃モードを生成して相手側に接するハウジングを具備してなる。
該振動機構にはモータが内蔵され、該モータは弾性体（スプリングであっても良い）を介して前記振動装置のハウジングに連結される一方、該モータには突状体が嵌装されている。前記突状体は前記ハウジングに形成された穴から突出している。
前記モータが偏心回転子を駆動して回転する場合、前記モータは前記弾性体を介して前記振動装置のハウジングに連結されているため、前記モータはハウジングに対してシフトし、前記モータに嵌装されている前記突状体もこれに追従して移動する。この時、前記突状体は前記ハウジングの穴から突出しているため、該突状体は不規則的に前記穴の辺縁を衝撃することで、前記突状体が前記穴内で不規則的な点衝撃を繰り返すことにより、相手側にもこれらの作用を与える。
【０００７】
また、前記モータが偏心回転子を駆動して回転する場合、生成された振動が前記弾性体を介して前記ハウジングにも伝達されるため、ハウジングも前記モータの回転と対応する規則的振動を生じさせるほか、前述したように、前記突状体が不規則的に前記ハウジングの穴を衝撃するため、前記ハウジングも不規則的振動（点衝撃）を生じさせる。その結果、前記ハウジングはモータの回転により、二種の異なるモードの振動、衝撃を同時に生成させ、これらの作用を相手側にも及ぼすことができる。
【考案の効果】
【０００８】
本考案の多重振動モードを備えたコンドーム用電動リングは、簡単な構造によって行為者双方に対して連動して効果的な刺激を与え、性的機能が衰え、或いは障害がある場合などこれらの行為が円滑に達成できない場合にも、或いはコンドームの使用に慣れない場合でも抵抗感や違和感を打ち消して行為可能とするなどの優れた効果を発揮することができた。
【考案を実施するための最良の形態】
【０００９】
本考案を図１を参照して以下に具体的に説明する。
図１は、本考案に係わる多重振動モードを備えたコンドーム用電動リング１０を示す略図である。図に示されているように、前記多重振動モードを備えたコンドーム用電動リング１０は、コンドーム１２に掛着して使用される。該多重振動モードを備えたコンドーム用電動リング１０は、リング１４と、リング１４に連結される振動装置１６と、リング１４に連結されると共に振動装置１６を収納可能な筒状体１１を具備する。前記振動装置１６は振動を生じさせることにより相手側にもその振動が達する。
【００１０】
図２は、本考案に係わる多重振動モードを備えたコンドーム用電動リング１０の振動装置１６を示す略図である。該振動装置１６は、ハウジング１８と、弾性体２０と、モータ２２と、偏心回転子２４と突状体２６を具備する。本実施例において、弾性体２０はスプリングであるが、本考案の実施においてはスプリングに限定することなく、同様な目的を達成することのできる如何なる物、例えば、バネ片、バネ棒等であっても良い。弾性体２０の一端はハウジング１８の内側に固定され、モータ２２は弾性体２０の他端に嵌装され、偏心回転子２４はモータ２２に連結される一方、突状体２６はそのネック部３０Ｃが丁度ハウジング１８に設けられた穴２８に嵌着されるように位置付けられ、この突状体は凸状を呈する前端３０ａと、ハウジング１８に位置付けられハウジング１８に設けられた穴２８内に嵌着可能なネック部と、モータ２２に嵌装される後端３０ｂとから構成する。後端３０はモータ２２に嵌装され、モータ２２を起動すると、凸状を呈する前端３０ａは相手側に接して作用する。モータ２２の上方に設置された偏心回転子２４は、突状体２６に囲まれている。穴２８はその上方に複数の凸点３４が設けられる辺縁３２を有する。
【００１１】
図２に示されているように、モータ２２は弾性体２０を介してハウジング１８に連結されているため、モータ２２が起動されると、モータ２２はハウジング２２に対しシフト可能である。モータ２２は、その上方に設置された偏心回転子２４を駆動して回転させることによって、突状体２６をその偏心運動に伴ない振動させて突状体２６を穴２８辺縁３２上の複数の凸点に衝突するようにする。この時、突状体２６が穴２８内の不規則な点衝撃を伴う振動を生じて、突状体２６の凸状を呈する前端３０ａにより相手側にこの振動が作用する。
また、図２に示されているように、突状体２６が穴２８の辺縁３２上の複数の突点３４に衝突するとき、同時にハウジング１８側にも不規則な点衝撃を生じさせ、且つモータ２２が偏心回転子２４を駆動して回転するときに偏心回転子２４により形成された振動は前記モータ２２及び弾性体２０を介してハウジング１８に伝達され、ハウジング１８にモータ２２の回転に対応する規則的振動を生じさせる。このようなハウジング１８の規則的及び不規則な点衝撃は、相手側に及ぶことにより、一方的な作用に止まらない。
【００１２】
又、本考案に係わる多重振動モードを備えたコンドーム用電動リング１０の振動装置１６は、更に電池４０と、電池４０に接続されるプッシュプル（押し引き）機構４２と、第１導電機構４４と第２導電機構４８を具備する。第１導電機構４４は第１金属バネ片４８と、第１金属バネ片４８に接触する第１リード線５０からなり、第２導電機構４６は第２金属バネ片５２と、第２金属バネ片５２に接触する第２リード線５４からなる。第１と第２リード線５０、５４はそれぞれモータ２２の正負二極に接続される一方、第１と第２金属バネ片４８、５２はそれぞれ電池４０の正負二極に接触される。
プッシュプル機構４２は電源スイッチであって、が図２に示されている始動位置に押し付けられると、プッシュプル機構４２は電池４０の正負二極をそれぞれ第１と第２金属バネ片４８、５２に接触させるようにして、モータ２２を始動させ、上述した振動機能を達成させる。
【００１３】
図３は、本考案に係わる多重振動モードを備えたコンドーム用電動リング１０の振動装置１６におけるプッシュプル機構４２が停止位置にある場合を示す略図である。プッシュプル機構４２が図３に示されている停止位置に引っ張られると、プッシュプル機構４２は、電池４０の正負二極をそれぞれ第１と第２金属バネ片４８、５２と分離させ、モータ２２の回転を停止させるようにする。
図２及び図３に示されるように、プッシュプル機構４２に、少なくとも１つの第１凸縁５６を有する一方、ハウジング１８に第１凸縁に対応する第２凸縁を有することで、プッシュプル機構４２を図２及び図３に示されるような始動位置と停止位置にセットさせるようにする。
【００１４】
本発明に係わる多重振動モードを備えたコンドーム用電動リング１０が上述したように構成され、プッシュプル（押し引き）機構４２が図３に示されているように停止位置にある場合、電池を振動装置１６内の第１及び第２金属バネ片４８、５２と完全な離脱状態にさせることができ、通常のモータと金属バネ片との連結を遮断してモータを停止させるコンドーム用電動リングに比べ、本考案は電池と金属バネ片の接触酸化を避け、電池漏液を防止することで、電池の使用寿命を延長させることができる。
総括的に述べると、従来の技術に比べ、本考案のコンドーム用電動リング１０は相手側に接する可動突状体２６を有し、そのハウジング１８は規則的振動と不規則的点衝撃との二種モードの振動、衝撃を生成することにより、相手側にも作用し、双方にとってバランスよく効果を発揮することができる。
【００１５】
この他、前記開示した実施例におけるコンドーム用電動リングは、可動突状体で相手側に接して作用する機能、及び二種モードのハウジング振動が相手側に作用する機能を同時に有することができる。しかし、本考案の範囲はこれに限定することなく、例えば、前記突状体２６の構造のみで、ハウジング１８に二種モードの振動を生じさせるケースも、本考案に属すべきである。
以上は本考案の好ましい実施例であって、本考案の範囲を限定するものではない。該技術を熟知する如何なる者も、本考案の精神と範疇を離脱せず、多種の修正又は変更を行うことができるため、本考案の保護範囲は請求の範囲で定められたことを基準とする。
【図面の簡単な説明】
【００１６】
【図１】本考案に係わる多重振動モードを備えたコンドーム用電動リング１０を示す略図である。
【図２】本考案に係わる多重振動モードを備えたコンドーム用電動リング１０の振動装置１６を示す略図である。
【図３】本考案に係わる多重振動モードを備えたコンドーム用電動リング１０の振動装置１６おけるプッシュプル機構４２を停止位置にある場合を示す略図である。
【符号の説明】
【００１７】
１０        コンドーム用電動リング
１１        筒状体
１２        コンドーム
１４        リング
１６        振動装置
１８        ハウジング
２０        弾性体
２２        モータ
２４        偏心回転子
２６        突状体
２８        穴
３０ａ、３０ｂ    突状体２６の前端、後端
３０ｃ      ネック部
３２        穴２８の辺縁
３４        辺縁３２上の凸点
４０        電池
４２        プッシュプル機構
４４        第１導電機構
４６        第２導電機構
４８        第１金属バネ片
５０        第１リード線
５２        第２金属バネ片
５４        第２リード線
５６        第１凸縁
５８        第２凸縁
【図１】
0003131059.tif 000003
【図２】
0003131059.tif 000004
【図３】
0003131059.tif 000005